(57)【要約】【課題】  一部範囲に対して噴霧を停止（又は停止解除）する際の操作の単純化、更には作業能率の向上を図るとともに、無用な場所への薬液の飛散、更には薬液が無駄になる不具合を回避する。【解決手段】  放射方向の所定範囲に薬液を噴霧可能な薬液噴霧機構２と、所定範囲における一部範囲Ａｎを遮断して薬液の噴霧を規制する遮断カバー３と、この遮断カバー３を、一部範囲Ａｎを遮断する遮断位置Ｘｓ又はこの遮断を解除する開放位置Ｘｒに選択的に移動可能なカバー移動手段４を備えるとともに、遮断カバー３が遮断位置Ｘｓ側へ移動した際に一部範囲Ａｎに噴霧する薬液の供給を停止し、かつ遮断カバー３が開放位置Ｘｒ側へ移動した際に供給の停止を解除する薬液供給連動手段５を設ける。【選択図】  図１
2008100170.tif 000002
【特許請求の範囲】
【請求項１】
右方，左方及び上方を含む放射方向の所定範囲に薬液を噴霧可能な薬液噴霧機構と、前記所定範囲における一部範囲を遮断して薬液の噴霧を規制する遮断カバーと、この遮断カバーを、前記一部範囲を遮断する遮断位置又はこの遮断を解除する開放位置に選択的に移動可能なカバー移動手段を備えるスピードスプレーヤの薬液噴霧装置において、前記遮断カバーが前記遮断位置側へ移動した際に前記一部範囲に噴霧する薬液の供給を停止し、かつ前記遮断カバーが前記開放位置側へ移動した際に前記供給の停止を解除する薬液供給連動手段を設けたことを特徴するスピードスプレーヤの薬液噴霧装置。
【請求項２】
前記カバー移動手段は、前記遮断カバーを動力により移動させるカバー駆動部と、このカバー駆動部を操作する操作部を備えることを特徴とする請求項１記載のスピードスプレーヤの薬液噴霧装置。
【請求項３】
前記薬液供給連動手段は、前記遮断カバーが少なくとも前記開放位置にあることを検出するカバー位置検出部と、前記一部範囲に噴霧する薬液の供給配管に接続した開閉バルブと、前記カバー位置検出部による前記開放位置の検出時に前記開閉バルブを開側に切換え、かつ前記開放位置の非検出時に前記開閉バルブを閉側に切換える切換手段を備えることを特徴とする請求項１記載のスピードスプレーヤの薬液噴霧装置。
【請求項４】
前記カバー位置検出部は、非接触型検出部を用いることを特徴する請求項３記載のスピードスプレーヤの薬液噴霧装置。
【発明の詳細な説明】
【技術分野】
【０００１】
本発明は、右方，左方及び上方を含む放射方向の所定範囲に薬液を噴霧するスピードスプレーヤの薬液噴霧装置に関する。
【背景技術】
【０００２】
従来、放射方向の所定範囲に薬液を噴霧する薬液噴霧機構を備えたスピードスプレーヤとしては、既に本出願人が提案した特開２０００−４７６０号公報で開示されるスピードスプレーヤが知られている。
【０００３】
同公報に開示されるスピードスプレーヤは、整流部の開口縁に沿った車両本体の左右の両側面に各々薬液を供給する主管を配置し、主管に連通する複数の可動枝管を、軸線を車両本体の前後方向に向けかつ主管の流路中心から偏位させて、主管方向に所定間隔で配し、可動枝管の各々に、主管に連通するノズルを設け、各々の可動枝管の端部にリンクアームの一端側を固定し、隣接する可動枝管のリンクアームの他端側間をリンクロッドによりリンク結合し、リンクロッドを押動してリンクアームを揺動させることにより軸線を回動中心として可動枝管を回動させる駆動機構を設けたものであり、これにより、片側にのみ果樹がある圃場の端，果樹の成育状態（高さ状態）或いは傾斜地など、噴霧場所の状態に応じて薬液の噴射方向を可変することができる。
【０００４】
しかし、このスピードスプレーヤ（薬液噴霧機構）は、薬液の噴射方向を変更できても、薬液散布を回避したい方向への薬液飛散を確実に防止することができず、民家や無農薬栽培畑等に対する薬液飛散を十分に回避できない課題が存在した。このため、既に本出願人はこの課題を解決するスピードスプレーヤの薬液噴霧機構を特開２００６−２６４９０号公報により提案した。
【０００５】
同公報に開示される薬液噴霧機構は、右方，左方及び上方を含む放射方向の所定範囲に薬液を噴霧するスピードスプレーヤの薬液噴霧機構であって、所定範囲における一部範囲を遮断して薬液の噴霧を規制する遮断部材と、この遮断部材を一部範囲を遮断する使用位置又はこの遮断を解除する非使用位置に選択的に位置させる格納手段を備えたものであり、これにより、所定範囲における一部範囲を遮断部材により遮断して薬液の噴霧を規制することができる。
【特許文献１】特開２０００−４７６０号
【特許文献２】特開２００６−２６４９０号
【発明の開示】
【発明が解決しようとする課題】
【０００６】
しかし、上述した従来の薬液噴霧機構（特許文献２）は、次のような更なる解決すべき課題も存在した。
【０００７】
第一に、一部範囲を遮断して薬液の噴霧を規制するため、民家や無農薬栽培畑等の薬液散布を回避したい方向への薬液飛散を確実に防止できる利点はあるものの、薬液の噴霧を規制する際には、遮断部材を使用位置へ移動させる操作、更には一部範囲に対して薬液の供給を停止するバルブ操作の二つの操作を行なわなければならず、作業中における操作の煩雑化及び作業能率の低下を招く。
【０００８】
第二に、遮断部材を使用位置へ移動させることに加え、薬液の供給を停止するバルブ操作を行う必要があるため、バルブ操作を忘れてしまう虞れがある。この場合、遮断部材により遮断された状態で薬液が噴霧されることになり、スピードスプレーヤを含む無用な場所に薬液が飛散するとともに、薬液が無駄になる不具合を招く。
【０００９】
本発明は、このような背景技術に存在する課題を解決したスピードスプレーヤの薬液噴霧装置の提供を目的とするものである。
【課題を解決するための手段】
【００１０】
本発明は、上述した課題を解決するため、右方，左方及び上方を含む放射方向の所定範囲に薬液を噴霧可能な薬液噴霧機構２と、所定範囲における一部範囲Ａｎを遮断して薬液の噴霧を規制する遮断カバー３と、この遮断カバー３を、一部範囲Ａｎを遮断する遮断位置Ｘｓ又はこの遮断を解除する開放位置Ｘｒに選択的に移動可能なカバー移動手段４を備えるスピードスプレーヤＭの薬液噴霧装置１を構成するに際して、遮断カバー３が遮断位置Ｘｓ側へ移動した際に一部範囲Ａｎに噴霧する薬液の供給を停止し、かつ遮断カバー３が開放位置Ｘｒ側へ移動した際に供給の停止を解除する薬液供給連動手段５を設けたことを特徴する。
【００１１】
この場合、発明の好適な態様により、カバー移動手段４は、遮断カバー３を動力により移動させるカバー駆動部１１と、このカバー駆動部１１を操作する操作部１２を備えて構成できる。また、薬液供給連動手段５は、遮断カバー３が少なくとも開放位置Ｘｒにあることを検出するカバー位置検出部１３と、一部範囲Ａｎに噴霧する薬液の供給配管１４に接続した開閉バルブ１５と、カバー位置検出部１３による開放位置Ｘｒの検出時に開閉バルブ１５を開側Ｖｏに切換え、かつ開放位置Ｘｒの非検出時に開閉バルブ１５を閉側Ｖｃに切換える切換手段１６を備えて構成できる。なお、カバー位置検出部１３は、非接触型検出部１３ｓを用いることができる。
【発明の効果】
【００１２】
このような構成を有する本発明に係るスピードスプレーヤＭの薬液噴霧装置１によれば、次のような顕著な効果を奏する。
【００１３】
（１）  薬液供給連動手段５により、遮断カバー３が遮断位置Ｘｓ側へ移動した際に一部範囲Ａｎに噴霧する薬液の供給を連動により停止させ、かつ遮断カバー３が開放位置Ｘｒ側へ移動した際に供給の停止を連動により解除するため、民家や無農薬栽培畑等の薬液散布を回避したい方向への薬液飛散を確実に防止できることに加え、一部範囲Ａｎに対して噴霧を停止（又は停止解除）する際の操作の単純化、更には作業能率の向上を図ることができる。
【００１４】
（２）  遮断カバー３が遮断位置Ｘｓに移動した際に一部範囲Ａｎに噴霧する薬液の供給が連動して停止するため、薬液の供給を停止させるバルブ操作等の操作忘れを防止することができ、スピードスプレーヤＭを含む無用な場所への薬液の飛散、更には薬液が無駄になる不具合を回避することができる。
【００１５】
（３）  好適な態様により、カバー移動手段４を、遮断カバー３を動力により移動させるカバー駆動部１１と、このカバー駆動部１１を操作する操作部１２を備えて構成すれば、例えば、運転席などに配した操作部１２を操作するのみで遮断カバー３の移動及びこれに連動する薬液の供給停止又は停止解除を行うことができ、更なる作業能率向上に寄与できる。
【００１６】
（４）  好適な態様により、薬液供給連動手段５を、遮断カバー３が少なくとも開放位置Ｘｒにあることを検出するカバー位置検出部１３と、一部範囲Ａｎに噴霧する薬液の供給配管１４に接続した開閉バルブ１５と、カバー位置検出部１３による開放位置Ｘｒの検出時に開閉バルブ１５を開側Ｖｏに切換え、かつ開放位置Ｘｒの非検出時に開閉バルブ１５を閉側Ｖｃに切換える切換手段１６を備えて構成すれば、遮断カバー３が開き終わった時点で薬液が供給されるとともに、遮断カバー３が閉じ始める時点で薬液の供給が停止するため、遮断カバー３が開く途中或いは閉じる途中で薬液が飛散する不具合を確実に回避することができる。
【００１７】
（５）  好適な態様により、カバー位置検出部１３に非接触型検出部１３ｓを用いれば、悪条件に晒される場所にカバー位置検出部１３を配設する場合であっても接触不良などによる検出不良を回避し、長期使用においても確実な検出を維持できる。
【発明を実施するための最良の形態】
【００１８】
次に、本発明に係る最良の実施形態を挙げ、図面に基づき詳細に説明する。
【００１９】
まず、本発明を明確にするため、本実施形態に係る薬液噴霧装置１を備えるスピードスプレーヤＭの概略構成について、図２を参照して説明する。
【００２０】
スピードスプレーヤＭにおいて、２０はシャーシであり、このシャーシ２０の前側に、左右一対の前輪２１…を備えるとともに、後側に、左右一対の後輪２２…を備え、搭載するエンジンにより自走する。また、シャーシ２０上のボディ２３には、前部に運転席２４を備えるとともに、運転席２４の前方におけるフロントパネル２５には、ヘッドライト等のライト類やバックミラー等の必要な車両設備を備える。さらに、運転席２４の後方には、薬液タンク２６を備えるとともに、この薬液タンク２６の後方に本実施形態に係る薬液噴霧装置１の主要部を構成する薬液噴霧機構２を備える。
【００２１】
次に、本実施形態に係る薬液噴霧装置１の構成について、図１〜図５を参照して具体的に説明する。
【００２２】
薬液噴霧装置１に備える薬液噴霧機構２は、ボディ２３の後端に、風洞カバー３１に覆われた送風機３２を有する送風部３３を備え、この送風部３３と薬液タンク２６の間には、噴射空間Ｓを有する。そして、この噴射空間Ｓには、整流筒３４及びこの整流筒３４に沿って配した多数の噴射ノズルＮ…を備える。この場合、各噴射ノズルＮ…は、図３に示すように三方へ噴霧するためのノズルユニット３５ｐ，３５ｍ，３５ｑから分岐して設けられており、各噴射ノズルＮ…から噴射される薬液は、送風部３３からの送風によって噴射空間Ｓから放射方向の所定範囲に噴霧される。この際、右側に配したノズルユニット３５ｐの噴射ノズルＮ…からは当該所定範囲の一部範囲Ａｎとなる右方に噴霧される。同様に、左側に配したノズルユニット３５ｑの噴射ノズルＮ…からは当該所定範囲の一部範囲となる左方に噴霧されるとともに、上側に配したノズルユニット３５ｍの噴射ノズルＮ…からは当該所定範囲の一部範囲となる上方に噴霧される。なお、例示する上側のノズルユニット３５ｍは、更に二つのノズルユニットが組合わされている。
【００２３】
また、この噴射空間Ｓには、一部範囲Ａｎを遮断して薬液の噴霧を規制する遮断カバー３を付設する。例示の遮断カバー３は、一部範囲Ａｎとして、スピードスプレーヤＭの右方への噴霧を規制するため、この一部範囲Ａｎに対して規制できるように、一枚の短冊状をなす金属パネル材を噴射空間Ｓの周りに沿わせ、当該周りを遮蔽可能な形状に一体形成する。なお、噴射空間Ｓから放射方向に向かう風圧は、かなりの大きさに及ぶため、遮断カバー３には、この風圧に耐える機械的強度が要求される。本実施形態では、遮断カバー３を複数部材の組合わせ構成とすることなく、一体形成による一枚の金属パネル材を用いるため、風圧に十分に耐える剛性の高い遮断部材を容易に得れるとともに、一枚の金属パネル材のみで容易に形成できるなど、低コスト化に寄与できる。
【００２４】
さらに、この遮断カバー３を動力により移動させるカバー駆動部１１と、このカバー駆動部１１を操作する操作部１２を構成するカバースイッチ１２ｓを有するカバー移動手段４を備える。カバー駆動部１１は、図１及び図３に示すように、風洞カバー３１の外側面に取付けた支持板４１を備える。支持板４１は全体を矩形状に一体形成し、上端辺及び下端辺にはそれぞれガイドレール部４２ｕ，４２ｄを設けるとともに、上下方向中間位置には後方に突出するシリンダ取付部４２ｃを設ける。ガイドレール部４２ｕ，４２ｄは、図３に示すように背面視が横Ｌ形となるように折曲形成する。また、遮断カバー３の内面における上位置及び下位置には、それぞれガイドレール部４２ｕ，４２ｄに装填するスライダ部４３ｕ，４３ｄを取付ける。したがって、ガイドレール部４２ｕ，４２ｄ及びスライダ部４３ｕ，４３ｄにはリニアベアリングを用いることができる。これにより、遮断カバー３は、ガイドレール部４２ｕ，４２ｄ及びスライダ部４３ｕ，４３ｄによりボディ２３の前後方向へスライド移動自在に支持され、前方向へ移動した際は、上述した一部範囲Ａｎを遮断する遮断位置Ｘｓに位置するとともに、後方向へ移動した際は、この遮断を解除する開放位置Ｘｒに位置する。
【００２５】
一方、支持板４１のシリンダ取付部４２ｃを利用して電磁シリンダ４４を配設し、この電磁シリンダ４４における駆動ロッド（アーマチュア）４５の先端と遮断カバー３の内面間を、レバー機構４６により連結する。レバー機構４６は、中間位置及び先端側位置にそれぞれ長孔部を設けた上下一対のレバー部４８ｕ，４８ｄを有し、このレバー部４８ｕ，４８ｄの中間位置の長孔部が支持板４１に設けた上下一対の支軸部４７ｕ，４７ｄにより支持され、かつレバー部４８ｕ，４８ｄの先端側位置の長孔部が遮断カバー３の内面に設けた上下一対の支軸部４９ｕ，４９ｄにより支持される。そして、レバー部４８ｕ，４８ｄにおける双方の後端部は駆動ロッド４５の先端部に回動自在に結合する。また、電磁シリンダ４４はコントローラ５１に接続する。さらに、カバースイッチ１２ｓは、運転者（作業者）が容易に操作できるように運転席２４に配設するとともに、このカバースイッチ１２ｓはコントローラ５１に接続する。なお、５２はコントローラ５１に接続したバッテリ５２を示すとともに、６５は電磁シリンダ４４を覆う保護カバーを示す。このようなカバー移動手段４を設ければ、運転席２４にあるカバースイッチ１２ｓを操作するのみで遮断カバー３を自動で移動させることができ、しかも、後述する薬液の供給停止又は停止解除を連動させることと併せ、作業能率の向上に寄与できる。
【００２６】
他方、薬液噴霧装置１には薬液供給連動手段５を備える。薬液供給連動手段５は、遮断カバー３が遮断位置Ｘｓ側へ移動した際に一部範囲Ａｎに噴霧する薬液の供給を停止するとともに、遮断カバー３が開放位置Ｘｒ側へ移動した際に一部範囲Ａｎに噴霧する薬液の供給停止を解除する機能を備える。したがって、薬液供給連動手段５は、遮断カバー３が開放位置Ｘｒにあることを検出するカバー位置検出部１３と、一部範囲Ａｎに噴霧する薬液の供給配管１４に接続した開閉バルブ１５と、カバー位置検出部１３による開放位置Ｘｒの検出時に開閉バルブ１５を開側Ｖｏに切換え、かつ開放位置Ｘｒの非検出時に開閉バルブ１５を閉側Ｖｃに切換える切換手段１６を備えて構成できる。
【００２７】
この場合、カバー位置検出部１３は、磁気的な検出を行うことができる非接触型検出スイッチ（非接触型検出部）１３ｓを使用し、図１に示すように、支持板４１の所定位置に取付ける。また、遮断カバー３（スライダ４３ｕ）の所定位置には、この検出スイッチ１３ｓにより検出される被検出子１３ｍを配設する。これにより、遮断カバー３が開放位置Ｘｒに移動すれば、被検出子１３ｍが検出スイッチ１３ｓに近接して当該検出スイッチ１３ｓがＯＦＦするとともに、遮断カバー３が開放位置Ｘｒから移動して当該開放位置Ｘｒから離れれば、検出スイッチ１３ｓから被検出子１３ｍが離れて当該検出スイッチ１３ｓがＯＮする。この検出スイッチ１３ｓはコントローラ５１に接続する。このような非接触型検出スイッチ１３ｓを用いることにより、悪条件に晒される場所にカバー位置検出部１３を配設する場合であっても接触不良などによる検出不良を回避し、長期使用においても確実な検出を維持できる利点がある。
【００２８】
また、図５（ａ），（ｂ）には、一部範囲Ａｎに対して噴霧する薬液の供給配管１４及びこの供給配管１４の中途に接続した開閉バルブ１５を示す。この供給配管１４の一端側は、一部範囲Ａｎに薬液を噴霧する噴射ノズルＮ…を有するノズルユニット３５ｐに接続するとともに、他端側は不図示の薬液ポンプ側に接続する。開閉バルブ１５は、操作軸に一端を結合したレバー６１を有するボールコックを用いる。切換手段１６は、減速ギア及びスイッチ接点などを内蔵したモータユニット６３を有するバルブ駆動部６２と、このバルブ駆動部６２の回転出力軸６３ｏとレバー６１の他端を連結するリンク機構６４を備える。このモータユニット６３はコントローラ５１に接続することにより、開閉バルブ１５を図５（ａ）に示す開側Ｖｏ又は図５（ｂ）に示す閉側Ｖｃに切換えることができる。
【００２９】
このような薬液供給連動手段５、即ち、遮断カバー３が少なくとも開放位置Ｘｒにあることを検出するカバー位置検出部１３と、一部範囲Ａｎに噴霧する薬液の供給配管１４に接続した開閉バルブ１５と、カバー位置検出部１３による開放位置Ｘｒの検出時に開閉バルブ１５を開側Ｖｏに切換え、かつ開放位置Ｘｒの非検出時に開閉バルブ１５を閉側Ｖｃに切換える切換手段１６を有する薬液供給連動手段５を採用することにより、遮断カバー３が開き終わった時点で薬液が供給されるとともに、遮断カバー３が閉じ始める時点で薬液の供給が停止するため、遮断カバー３が開く途中或いは閉じる途中で薬液が飛散する不具合を確実に回避できる利点がある。
【００３０】
次に、本実施形態に係る薬液噴霧装置１の使用方法及び動作について、図１〜図５を参照しつつ図６に示すフローチャートに従って説明する。
【００３１】
遮断カバー３の開閉、即ち、遮断位置Ｘｓ又は開放位置Ｘｒへの移動は、運転席２４にあるカバースイッチ１２ｓの操作により行うことができる。今、運転者（作業者）がカバースイッチ１２ｓを閉側（遮断位置Ｘｓ側）に操作した場合を想定する（ステップＳ１，Ｓ２）。したがって、カバースイッチ１２ｓを閉側に操作する前は、遮断カバー３は開側（開放位置Ｘｒ側）にあるとともに、開閉バルブ１５は開側Ｖｏ（図５（ａ））にあり、通常の散布ができる状態にある。
【００３２】
運転者（作業者）がカバースイッチ１２ｓを閉側（遮断位置Ｘｓ側）に操作すれば、コントローラ５１は電磁シリンダ４４を引込側に作動制御する（ステップＳ３）。これにより、駆動ロッド４５は引込方向に移動するとともに、この移動はレバー機構４６を介して遮断カバー３に伝達されるため、遮断カバー３は遮断位置Ｘｓに向かって移動する。そして、駆動ロッド４５が引込端に達し、遮断カバー３が遮断位置Ｘｓに達すれば、所定の検出手段により検出され、コントローラ５１は電磁シリンダ４４を停止制御する（ステップＳ４，Ｓ５）。
【００３３】
一方、遮断カバー３が開放位置Ｘｒから遮断位置Ｘｓへ移動を開始することにより、被検出子１３ｍが検出スイッチ１３ｓから離れるため、開放位置Ｘｒから移動を開始した直後に検出スイッチ１３ｓがＯＦＦからＯＮに切換わり、これにより、バルブ駆動部６２が作動し、回転出力軸６３ｏが図５（ａ）に示す矢印Ｆｃ方向に回転する（ステップＳ６）。そして、回転出力軸６３ｏが１８０〔゜〕回転すれば、バルブ駆動部６２に内蔵するスイッチ接点により自動で停止する（ステップＳ７，Ｓ８）。また、回転出力軸６３ｏの１８０〔゜〕回転変位は、リンク機構６４の機能によりレバー６１の９０〔゜〕回動変位に変換され、開閉バルブ１５は図５（ｂ）に示す閉側Ｖｃに切換えられる。即ち、遮断カバー３が遮断位置Ｘｓに移動することに連動して開閉バルブ１５は自動で閉側Ｖｃに切換えられる。
【００３４】
よって、この場合には、遮断カバー３が図１に示す遮断位置Ｘｓにセットされるとともに、開閉バルブ１５が閉側Ｖｃに切換えられ、薬液の供給が停止するため、薬液を噴霧しても、スピードスプレーヤＭの右方が遮断カバー３により遮断されることにより、一部範囲Ａｎに対する薬液の噴霧が規制される。したがって、例えば、民家や無農薬栽培畑等の薬液の散布を回避したい方向への薬液飛散を確実に防止できる。この際、散布途中でカバースイッチ１２ｓを操作すれば、遮断カバー３が開放位置Ｘｒから移動を開始した直後、即ち、遮断カバー３が閉じ始める時点で検出スイッチ１３ｓがＯＮに切換わるため、速やかに薬液の噴霧を停止することができるとともに、遮断カバー３が閉じる途中で薬液が飛散する不具合を確実に回避することができる。
【００３５】
他方、この状態から遮断カバー３を開放位置Ｘｒに移動させ、通常の散布を行う状態に戻す場合を想定する。この場合、運転者（作業者）は、運転席２４にあるカバースイッチ１２ｓを開側（開放位置Ｘｒ側）に操作する（ステップＳ１，Ｓ２）。カバースイッチ１２ｓを開側に操作すれば、コントローラ５１は電磁シリンダ４４を押出側に作動制御する（ステップＳ９）。これにより、駆動ロッド４５は押出方向に移動するとともに、この移動はレバー機構４６を介して遮断カバー３に伝達されるため、遮断カバー３は開放位置Ｘｒに向かって移動する。そして、駆動ロッド４５が押出端に達し、遮断カバー３が開放位置Ｘｒに達すれば、所定の検出手段により検出され、コントローラ５１は電磁シリンダ４４を停止制御する（ステップＳ１０，Ｓ１１）。
【００３６】
一方、遮断カバー３が開放位置Ｘｒに達すれば、被検出子１３ｍが検出スイッチ１３ｓに近接するため、検出スイッチ１３ｓはＯＮからＯＦＦに切換わり、これにより、バルブ駆動部６２が作動し、回転出力軸６３ｏが図５（ｂ）に示す矢印Ｆｃ方向に回転する（ステップＳ１２）。そして、回転出力軸６３ｏが１８０〔゜〕回転すれば、バルブ駆動部６２に内蔵するスイッチ接点により自動で停止する（ステップＳ１３，Ｓ１４）。また、回転出力軸６３ｏの１８０〔゜〕回転変位は、リンク機構６４の機能によりレバー６１の９０〔゜〕回動変位に変換され、開閉バルブ１５は図５（ａ）に示す開側Ｖｏに切換えられる。即ち、遮断カバー３が開放位置Ｘｏに移動することに連動して開閉バルブ１５は自動で開側Ｖｏに切換えられる。
【００３７】
よって、この場合には、遮断カバー３が図４に示す開放位置Ｘｒにセットされるため、遮断カバー３には規制されない通常の薬液散布を行うことができる。即ち、噴射空間Ｓは、遮断カバー３に遮断されることなく、所定範囲となる全範囲が開放され、通常の薬液散布が行われる。この際、散布途中でカバースイッチ１２ｓを操作すれば、遮断カバー３が開放位置Ｘｒにほぼ完全に開き切った状態で検出スイッチ１３ｓがＯＦＦに切換わるため、遮断カバー３が開く途中で薬液が飛散する不具合を確実に回避することができる。
【００３８】
このような本実施形態に係る薬液噴霧装置１によれば、薬液供給連動手段５により、遮断カバー３が遮断位置Ｘｓに移動した際に一部範囲Ａｎに噴霧する薬液の供給を連動により停止させ、かつ遮断カバー３が開放位置Ｘｒに移動した際に供給の停止を連動により解除するため、民家や無農薬栽培畑等の薬液散布を回避したい方向への薬液飛散を確実に防止できることに加え、一部範囲Ａｎに対して噴霧を停止（又は停止解除）する際の操作の単純化、更には作業能率の向上を図ることができる。また、遮断カバー３が遮断位置Ｘｓに移動した際に一部範囲Ａｎに噴霧する薬液の供給も連動して停止するため、薬液の供給を停止させるバルブ操作等の操作忘れを防止することができ、スピードスプレーヤＭを含む無用な場所への薬液の飛散、更には薬液が無駄になる不具合を回避できる。
【００３９】
以上、最良の実施形態について詳細に説明したが、本発明は、このような実施形態に限定されるものではなく、細部の構成，形状，素材，数量等において、本発明の要旨を逸脱しない範囲で、任意に変更，追加，削除することができる。
【００４０】
例えば、遮断カバー３は、スピードスプレーヤＭの右側に付設して、右方における一部範囲Ａｎを遮断する場合を示したが、スピードスプレーヤＭの左側に付設して、左方における一部範囲を遮断するようにしてもよく、この場合の構成は、左右対称となる点を除き、基本的には右側と同様に実施できる。また、カバー移動手段４は、遮断カバー３を動力により移動させるカバー駆動部１１と、このカバー駆動部１１を操作するカバースイッチ１２ｓを備えた構成を例示したが、このカバー移動手段４は、遮断カバー３を手動（人力）により開閉操作する場合も含まれる。さらに、カバー位置検出部１３は、例示した非接触型検出スイッチ１３ｓ以外の位置検出部を用いてもよいし、必要により遮断位置Ｘｓと開放位置Ｘｒの双方の位置をそれぞれ検出する一対のカバー位置検出部１３…を設けてもよい。一方、薬液供給連動手段５は、電気的に連動させる場合を例示したが、遮断カバー３の移動量を機械的なリンク機構を介して直接開閉バルブ１５の操作量に利用してもよく、薬液供給連動手段５は、各種変更例を排除するものではない。
【図面の簡単な説明】
【００４１】
【図１】本発明の最良の実施形態に係る薬液噴霧装置の要部構成及び遮断カバーが遮断位置にあるスピードスプレーヤの一部を示す右側面構成図、
【図２】同薬液噴霧装置を備えるスピードスプレーヤの右側面構成図、
【図３】同薬液噴霧装置を備えるスピードスプレーヤの一部抽出拡大図を含む背面構成図、
【図４】同薬液噴霧装置を備える遮断カバーが開放位置にあるスピードスプレーヤの一部を示す右側面構成図、
【図５】同薬液噴霧装置における開閉バルブ及び切換手段を示す構成図、
【図６】同薬液噴霧装置の使用方法及び動作を説明するためのフローチャート、
【符号の説明】
【００４２】
１：薬液噴霧装置，２：薬液噴霧機構，３：遮断カバー，４：カバー移動手段，５：薬液供給連動手段，１１：カバー駆動部，１２：操作部，１３：カバー位置検出部，１３ｓ：非接触型検出部（非接触型検出スイッチ），１４：供給配管，１５：開閉バルブ，１６：切換手段，Ａｎ：一部範囲，Ｘｓ：遮断位置，Ｘｒ：開放位置，Ｍ：スピードスプレーヤ，Ｖｏ：開側，Ｖｃ：閉側
【図１】
2008100170.tif 000003
【図２】
2008100170.tif 000004
【図３】
2008100170.tif 000005
【図４】
2008100170.tif 000006
【図５】
2008100170.tif 000007
【図６】
2008100170.tif 000008